(57)【要約】      （修正有）【課題】マスクを複数枚携行するようになりつつある背景と、食事や商談のときには一時的に外すことがあり、その間、衛生的な保管ができるマスクケースを提供する。【解決手段】ぬいぐるみか、或いはこのぬいぐるみの詰め物を除いたキャラクターを本体表面に取付けるとともに、裏面５に、複数枚のマスクが収納可能で且つ、開口部に開閉自在な手段を備えた蓋６を有するポケットを設け、このマスクケースの構成部材のうち、少なくともポケットの内側生地には、抗ウイルス加工、抗菌加工、花粉付着防止加工の全て、或いは、何れかその内の１種の加工が施されると共に、該内側の生地がナイロンタフタかポリエステルタフタ、或いはレーヨンであることを特徴としてマスクケースを構成する。【選択図】図２
0003159961.tif 000002
【実用新案登録請求の範囲】
【請求項１】
ぬいぐるみか、或いはこのぬいぐるみの詰め物を除いたキャラクターを本体表面に取付けるとともに、裏面に、複数枚のマスクが収納可能で且つ、開口部に開閉自在な手段を有する蓋を備えたポケットを設けたことを特徴とするマスクケース。
【請求項２】
このマスクケースの構成部材のうち、少なくともポケットの内側生地には、抗ウイルス加工、抗菌加工、花粉付着防止加工の全て、或いはその内の、少なくとも何れか１種の加工が施されると共に、該内側の生地がナイロンタフタかポリエステルタフタ、或いはレーヨンであることを特徴とする請求項１記載のマスク用ケース。
【考案の詳細な説明】
【技術分野】
【０００１】  本考案は、新型インフルエンザや季節的風邪、或いは杉を始めとする様々な飛散花粉から生じる花粉症対策として使用されるマスクを携行するとき、或いは食事や商談の時に一時的に外したマスクを収納するためのケースに関するものである。
【背景技術】
【０００２】  昨今、新型インフルエンザの感染拡大と重症化の傾向が強まりによって、その予防対策に手洗いとマスク着用の重要性と有効性が広く認識され、マスクは常に清潔なものの着用が求められる事から、外出時に複数枚を携行するようになりつつある背景がある。
更には、着用していても例えば食事のときや、商談のときには一時的に外すことになり、外したマスクはテッシュに包んだり、ハンカチにくるみスーツのポケットに入れたり、或いはそのままバッグや机に入れたりして対応しているのが現状である。しかしながら、これらは非衛生的であるばかりでなく汚染される危険もあり望ましいことではなかった。
【先行技術文献】
【特許文献】
【０００３】
【特許文献１】  特許第４０５３５２７号
【特許文献２】  実用新案登録第３１１２１２１号
【特許文献３】  実用新案登録第３１０８７９８号
【非特許文献１】  実用新案出願公開  実開平０６−４８６９８
【非特許文献２】  実用新案出願公開  実開平０１−１０７３５８
【非特許文献３】  実用新案出願公告  実公平０６−３２１２８
【考案の開示】
【考案が解決しようとする課題】
【０００４】  本考案は存在する課題、即ち、新型インフルエンザの感染拡大と重症化の傾向が強まりによって、外出時にマスクを複数枚携行するようになりつつある背景と、食事のときや、商談のときに一時的に外したマスクをいかに衛生的に且つ、簡便に、その上、女性や若年層にも抵抗なく使用できるスマートで独自性のある収納ケースを提供することで課題を解決しようとするものである。
【課題を解決するための手段】
【０００５】  上記目的を達成するため本考案は、ぬいぐるみか、或いはこのぬいぐるみの詰め物を除いたキャラクターを本体表面に取付けるとともに、裏面に、複数枚のマスクが収納可能で且つ、開口部に開閉自在な手段を有する蓋を備えたポケットを設けたことを第一の考案として課題を解決するための手段としている。【０００６】  第二の考案として、このマスクケースの構成部材の内、少なくともポケットの内側生地には、抗ウイルス加工、抗菌加工、花粉付着防止加工の全て、或いは、その内の何れか１種の加工が施されると共に、該内側の生地がナイロンタフタかポリエステルタフタ、或いはレーヨンであることを特徴としている。
【考案の効果】
【０００７】  本考案によれば、ぬいぐるみか、或いはこのぬいぐるみの詰め物を除いたキャラクターを本体表面に取付けることで、従来品に無い独自性があり、スマートで愛らしくホットなイメージを抱かせる収納ケースとなっていて、女性や若年層にも抵抗なく使用できるようになっている。【０００８】  また、食事のときや、商談のときに一時的に外したマスクを衛生的に保管する事が難しかったが、本考案によるマスクケースの、裏面には複数枚のマスクが収納可能で且つ、開口部に開閉自在な手段を有する蓋を備えたポケットを設け、その上、構成部材の内、少なくともこのポケットの内側生地には、抗ウイルス加工、抗菌加工、花粉付着防止加工の全て、或いは、少なくともその内の何れか１種の加工が施されると共に、該内側の生地がナイロンタフタかポリエステルタフタ、或いはレーヨンで作られていることで、保管と収納の出し入れが簡便でその上、衛生面は担保されている。【０００９】  加えて、ぬいぐるみか、或いはこのぬいぐるみの詰め物を除いたキャラクターを本体表面に取付けることで、例えば、今年（２０１０年）千葉県で開催される国体の「チーバくん」等のキャラクターを採用して記念品とするとか、或いは年齢層に合わせた人気のキャラクターを採用することで、購買層を絞り狙った売り上げで営業成績の向上も見込めるなどの効果も期待できる。
【考案を実施するための最良の形態】
【００１０】  以下、図面に基づき本考案を実施するための最良の一形態を説明すると、本考案のマスクケースＡは、図１でその表面部を示し、ぬいぐるみか、或いはこのぬいぐるみの詰め物を除いた兎をイメージしたキャラクター３を、毛布地のように起毛したケースＡの表面１中央部に配して縫いつけなどの確りした方法で一体的に取付けている。符号２で示したものは、下げ金具のチェーン輪などが取付けられる布リングで上端縁中央部に備えられている。【００１１】  図２は図１の裏面５を示し、裏面には複数枚のマスクが収納可能なサイズのポケットを設けてあり、このポケットには、スナップ７で、開閉自在な蓋６を備えている。図示以外の開閉自在な手段としては面フアスナーやボタン、或いはジッパーなどの方法が採用されても差し支え無い。
このマスクケースの構成部材の内、少なくともポケットの内側生地には、抗ウイルス加工、抗菌加工、花粉付着防止加工の全て、或いはその内、何れか１種の加工が施されると共に、該内側の生地がナイロンタフタかポリエステルタフタ、或いはレーヨンで作られているのでスムーズに出し入れが可能で、一度収納したマスクは蓋が備えられていることで不用意にでることは無い。【００１２】  尚、此処での説明をより明確にすれば、少なくともポケットの内側生地には、抗ウイルス加工、抗菌加工、花粉付着防止加工の全てか、或いはその内の何れか１種の加工が施されるとしているが、より良き商品への志向的には、上記の他にも全ての構成部材に、衛生面の向上で考えられる加工が施されることが望ましい事は申すまでも無い。【００１３】  一般的に言われているように、前記の抗ウイルス加工とは、繊維生地に薬剤を塗布その他の方法で行なわれ、生地自体に接触したウイルスの活性化を防ぐ機能を持たせる加工を言い、抗菌加工とは、繊維生地に薬剤を塗布その他の方法で行なわれ、生地自体に接触した細菌を死滅させる機能を持たせる加工を言い、花粉付着防止加工とは、繊維生地に薬剤を塗布その他の方法で行なわれ、生地自体に花粉がつき難く、付いた場合は軽く払うだけで花粉が生地から脱落する機能を持たせる加工を表現している。【００１４】  以上説明の抗ウイルス加工、抗菌加工、又は花粉付着防止加工を本考案のマスクケースの構成のうち、少なくともポケットの内側生地には、その全てか、或いはその内、何れか１種の加工が施されて衛生的であり、その上、該内側の生地がナイロンタフタかポリエステルタフタ、或いはレーヨンで作られていることで内側に滑りやすく出し入れがスムーズに行なわれる。【００１５】  此処で説明のキャラクターのぬいぐるみは、起毛されたタイプのものが採用されているが、他の例えば、著作権との関係をクリアにしなければならないことは申すまでも無いが、テレビやコミックに等に登場するもので、起毛されないぬいぐるみタイプのものであっても本考案の作用効果に関しては何ら差し支え無い。
【実施例】
【００１６】  次に図面に示した本考案に係る具体的実施例につき説明すると、図１はマスクケースＡの表面１を説明するもので、符号２はリング状の布輪を、符号３は、ぬいぐるみか、或いはこのぬいぐるみの詰め物を除いたキャラクターを示している。このキャラクターは兎をイメージしたぬいぐるみであって、起毛状を呈する表面の中央部に設けられる。【００１７】  図２は図１の裏面５を示したもので、この面５にはポケットが設けられていて、このポケットには蓋６が備えられ、この蓋はスナップ７で開閉自在となっている。
【産業上の利用可能性】
【００１８】  このマスクケースの起毛された表面中央部に、妙にほほえましく愛らしい兎のキャラクターのぬいぐるみが取り付けられていることで、店頭に展示したとき、需要者の注目を浴びる事請け合いで販売促進に大いに効果をあげる。その上、例えば若い女性向けに、これらの人々に人気のあるキャラクターを採用することによって、強く注意を引き付けることで、マスクのイメージをより一層高め、マスクの使用そのものに対する理解の向上にも思わぬ効果を奏する。【００１９】  しかしながら、第一次的にはマスクを複数枚携行できるばかりでなく、一時的に外すときがあっても、衛生的で清潔が担保されたケースに収納することでできるので、食事や接客・面談も気にすることなく行なうことができ、終了後は再び装着することに全く違和感が無いばかりでなく、製造上これと言った障害も無いことから産業上の利用可能性は高いものがある。
【図面の簡単な説明】
【００２０】
【図１】本考案実施例のマスクカバーの表面を説明図である。
【図２】図１の裏面を説明する図である。
【符号の説明】
【００２１】Ａマスクケース      １表面      ２布輪      ３キャラクター      ５裏面      ６蓋７ホック
【図１】
0003159961.tif 000003
【図２】
0003159961.tif 000004
【手続補正書】
【提出日】平成22年3月8日(2010.3.8)
【手続補正１】
【補正対象書類名】実用新案登録請求の範囲
【補正対象項目名】全文
【補正方法】変更
【補正の内容】
【実用新案登録請求の範囲】
【請求項１】
ぬいぐるみか、或いはこのぬいぐるみの詰め物を除いたキャラクターを本体表面に取付けるとともに、裏面に、複数枚のマスクが収納可能で且つ、開口部に開閉自在な手段を有する蓋を備えたポケットを設けたことを特徴とするマスクケース。
【請求項２】
このマスクケースの構成部材のうち、少なくともポケットの内側生地には、抗ウイルス加工、抗菌加工、花粉付着防止加工の全て、或いはその内の、少なくとも何れか１種の加工が施されると共に、該内側の生地がナイロンタフタかポリエステルタフタ、或いはレーヨンであることを特徴とする請求項１記載のマスクケース。